(57)【要約】      （修正有）【課題】サイズ表示を目で容易に識別でき、作業台から転がり落ちにくい接木用ホルダーを提供する。【解決手段】一側部に上端部から下端部までの割れ目２を備えたプラスチックの筒状体１を有する接木用ホルダーにおいて、筒状体の上端部に、内面が傾斜した半円状の穂木挿入ガイド部４を突出して設け、筒状体の側部に、転がり防止用の板状の突起部３Ａを筒状体と一体に形成し、かつ、板状の突起部の形状を、筒状体の内径に応じて異なる形状とした。筒状体の下端部に、内面が傾斜した半円状の台木挿入ガイド部５を突出して設けることができる。また、穂木挿入ガイド部４と台木挿入ガイド部５は、板状の突起部を基準にして筒状体の長手方向の中心点に対して点対称位置に設けることができる。【選択図】図１
0003191251.tif 000002
【実用新案登録請求の範囲】
【請求項１】
一側部に上端部から下端部までの割れ目を備えたプラスチックの筒状体を有する接木用ホルダーにおいて、前記筒状体の上端部に、内面が傾斜した半円状の穂木挿入ガイド部を突出して設け、前記筒状体の側部に、転がり防止用の突起部を前記筒状体と一体に形成し、かつ、前記突起部の形状を、前記筒状体の内径に応じて異なる形状としたことを特徴とする接木用ホルダー。
【請求項２】
前記筒状体の下端部に、内面が傾斜した半円状の台木挿入ガイド部を突出して設けたことを特徴とする請求項１記載の接木用ホルダー。
【請求項３】
前記穂木挿入ガイド部と前記台木挿入ガイド部は、前記突起部を基準にして前記筒状体の長手方向の中心点に対して点対称位置に設けられている請求項２記載の接木用ホルダー。
【考案の詳細な説明】
【技術分野】
【０００１】
本考案は、トマト、ナス、ピーマン等の苗木を接木する際に使用する接木用ホルダーに関する。
【背景技術】
【０００２】
旧来より、栽培する野菜の土壌伝染病や虫害を避けたり、連作を可能にするために、接木という技術が用いられている。
例えば、スイカはユウガオ、トウガン、カボチャを台木として苗を接木する。キュウリも、台木としてカボチャやクロダネを用いている。メロンでも、カボチャが用いられることが多い。トマトやナスでは、品種の異なる共台が用いられている。
【０００３】
接木を行う方法の一つとして、台木の上端部と穂木の下端部にそれぞれ斜めの切り込みを入れ、両者の切り口が密着するように結合してから、洗濯ばさみ状の専用の接木クリップで挟んで両者を固定していた。数日経過すると、台木と穂木の切り口が活着し、台木からの養分が穂木に送られて生長する。
【０００４】
しかし、上記の接木クリップは一対の挟持片とバネで構成されており、構造が複雑でコストも掛かる。特に、栽培農家では数万個も使用するため、そのコスト負担が大きい。さらに、接木クリップは、接木した苗が生長すると接合部を圧迫して生長を妨げるので、ある時期に取り外さなければならない。その手間が面倒で、取り外し忘れがあると、苗の生長が阻害される。
このような観点から、プラスチック、特に軟質のプラスチックを用いた接木保持具が用いられるようになってきた。
【０００５】
例えば特許文献１には、台木と穂木の接合部の外周を抱持する分解性プラスチック製筒状体の一方の端部から他方の端部にわたって切り込み部（割れ目）を設けた接木支持具が記載されている。
【０００６】
特許文献２には、弾性筒状体に上端面から下端面に渡る切り込み線または切り欠き（割れ目）を設け、弾性筒状体の内周に連通溝部を形成した苗の接木用具が記載されている。
【０００７】
特許文献３には、透明または半透明の弾性筒状体に上端面から下端面にわたる切り込み線または切り欠き（割れ目）を設け、弾性筒状体が、中央部が上部および下部よりも肉厚とした、全体樽型の形状を有する苗の接木用具が記載されている。
【０００８】
この種の接木用保持具の基本形状を図９に示す。図９（ａ）は斜視図、（ｂ）は正面図、（ｃ）は平面図である。同図において、接木用保持具２０は、弾性筒状体２１の側面に、上端面から下端面に至る割れ目２２を形成したものである。合わせ接ぎを行う場合は、図１０に示すように台木Ａと穂木Ｂともに斜め方向に切断し、接木用保持具２０を、まず台木Ａに装着する。次いで、穂木Ｂの切断方向が台木Ａと一致するようにして接木用保持具２０の内部に挿入する。これにより、図１１に示す合わせ接ぎの接木ができる。
【０００９】
しかし、この従来の接木用保持具２０では、接木作業を行う際に、台木の斜め方向の切り込みと穂木の斜め方向の切り込み部の位置合わせがうまくいっているかどうかの確認ができにくいという問題がある。
【先行技術文献】
【特許文献】
【００１０】
【特許文献１】特開平７−１６３２３７号公報
【特許文献２】特開平７−２０３７６３号公報
【特許文献３】特開平７−２０３７６４号公報
【考案の概要】
【考案が解決しようとする課題】
【００１１】
上述した特許文献１〜３に記載された接木用ホルダーは、本体は筒状であるので、接木作業を行うために複数の接木用ホルダーを作業台上に置いた時、転がって作業台から落下することがある。また、接木用ホルダーを手に摘んで接木作業を行う場合、本体が筒状であると、割れ目の位置が指の感触では分かりづらいので、目で割れ目の位置を確認しなければならず、作業性が悪いという問題があった。
ところで、接木用ホルダーは、接木する苗の太さによって使い分けるので、茎保持部穴の径を、例えば１．３ｍｍから２．４ｍｍまで、数種類揃えて接木作業を行っている。
しかしながら、前述の従来の接木用ホルダーには、サイズごとの表示がないので、サイズが混じったら種分けが難しかった。
近年、接木ホルダーのサイズ表示のため、製品の摘み部に数字を彫刻して表示をしているものもあるが、接木ホルダーの本体が透明や淡い色、また小さな製品であるため、文字や数字で商品に彫刻表示してもサイズを見分けにくい。
【００１２】
そこで本考案は、サイズ表示を目で容易に識別でき、慣れてくると一目でサイズを認識でき、また作業台上で転がり落ちにくい接木用ホルダーを提供することを目的とする。
【課題を解決するための手段】
【００１３】
前記課題を解決するため、本考案は、一側部に上端部から下端部までの割れ目を備えたプラスチックの筒状体を有する接木用ホルダーにおいて、前記筒状体の上端部に、内面が傾斜した半円状の穂木挿入ガイド部を突出して設け、前記筒状体の側部に、転がり防止用の突起部を前記筒状体と一体に形成し、かつ、前記突起部の形状を、前記筒状体の内径に応じて異なる形状としたことを特徴とする。
【００１４】
このように、突起部の形状を筒状体の内径に応じて異なる形状としたことにより、突起部の形状とサイズ表示が一義的に関連付けされ、これにより一目でサイズを認識することができる。また、突起部の無い筒状のみのホルダーのように、転がって作業台から落下することがない。
さらに、筒状体の上端部に、内面が傾斜した半円状の穂木挿入ガイド部を設けたことにより、穂木の挿入が容易になるとともに、筒状体の一側部に設けた、上端部から下端部までの割れ目を活用し、外部から挿入時の穂木を目視でも確認できるため、確実な作業を行うことができる。
【００１５】
前記筒状体の下端部に、内面が傾斜した半円状の台木挿入ガイド部を突出して設けることにより、台木の挿入が容易になるとともに、筒状体の一側部に設けた、上端部から下端部までの割れ目を活用し、外部から挿入時の穂木を目視でも確認できるため、確実な作業を行うことができる。
【００１６】
前記穂木挿入ガイド部と前記台木挿入ガイド部を、前記突起部を基準にして前記筒状体の長手方向の中心点に対して点対称位置に設けることにより、筒状体の上下の方向性がなくなり、下に来た方を台木挿入ガイド、上に来た方を穂木挿入ガイドとして使用できるため、上下の方向性を気にすることなく作業を容易に行うことができる。
【考案の効果】
【００１７】
本考案によれば、一側部に上端部から下端部までの割れ目を備えたプラスチックの筒状体を有する接木用ホルダーにおいて、筒状体の上端部に、内面が傾斜した半円状の穂木挿入ガイド部を突出して設け、筒状体の側部に、転がり防止用の突起部を筒状体と一体に形成し、かつ、突起部の形状を、筒状体の内径に応じて異なる形状としたことにより、サイズ表示を目で容易に識別でき、慣れてくると一目でサイズを認識することができ、また作業台上で接木用ホルダーが転がり落ちにくくなる。
【図面の簡単な説明】
【００１８】
【図１】本考案の実施の形態１を示すものであり、（ａ）は正面図、（ｂ）は側面図、（ｃ）は平面図である。
【図２】本考案の実施の形態２を示すものであり、（ａ）は正面図、（ｂ）は側面図、（ｃ）は平面図である。
【図３】本考案の実施の形態３を示すものであり、（ａ）は正面図、（ｂ）は側面図、（ｃ）は平面図である。
【図４】本考案の実施の形態４を示すものであり、（ａ）は正面図、（ｂ）は側面図、（ｃ）は平面図である。
【図５】本考案の実施の形態に係る接木用ホルダーを用いる接木作業における幼苗を斜めに切断した後の台木の斜視図である。
【図６】本考案の実施の形態に係る接木用ホルダーを用いる接木作業において台木に接木用ホルダーを装着している状態の斜視図である。
【図７】本考案の実施の形態に係る接木用ホルダーを用いる接木作業において接木用ホルダーの上部に穂木を装着しようとする状態の斜視図である。
【図８】本考案の実施の形態に係る接木用ホルダーを用いた接木作業の完了状態を示す斜視図である。
【図９】従来の接ぎ木保持具の基本形状を示すもので、（ａ）は斜視図、（ｂ）は正面図、（ｃ）は平面図である。
【図１０】図９の接ぎ木保持具を用いて接木を行う際の状態を示す説明図である。
【図１１】図９の接ぎ木保持具により結着された台木と穂木の状態を示す斜視図である。
【考案を実施するための形態】
【００１９】
以下、本考案の実施の形態を、図面を参照しながら具体的に説明する。
図１は本考案の実施の形態１を示すものであり、内径が１．４ｍｍ、外径が３．４ｍｍ、長さが１０．５ｍｍの筒状体１からなる接木用ホルダーを示している。筒状体１は、透明性の高いプラスチック製として、台木と穂木の継ぎ目の状態を外部から確認できるようにしている。筒状体１の一側部には上端部から下端部までの割れ目２を有しており、割れ目２とは対向する位置に板状の突起部３Ａが設けられている。この１．４ｍｍサイズの板状の突起部３Ａは半長円形状としている。筒状体１の上端部に、内面が傾斜した半円状の穂木挿入ガイド部４を突出して設け、筒状体１の下端部に、内面が傾斜した半円状の台木挿入ガイド部５を突出して設けている。
【００２０】
このように筒状体１の上端部に、内面が傾斜した半円状の穂木挿入ガイド部４を設けることにより、穂木の下部の横方向の位置を穂木挿入ガイド部４で位置決めでき、穂木の挿入が容易になるとともに、穂木挿入ガイド部４の対向側は開放しているため、外部から挿入時の穂木を目視で確認しながら確実な作業ができる。
【００２１】
また、筒状体１の下端部に、内面が傾斜した半円状の台木挿入ガイド部５を設けることにより、台木の挿入が容易になるとともに、台木挿入ガイド部の対向側は開放しているため、外部から挿入時の台木を目視で確認しながら確実な作業ができる。
【００２２】
なお、穂木挿入ガイド部４と台木挿入ガイド部５は板状の突起部３Ａに対して点対称位置に設けられているため、天地を逆に持っても、上に有る方が穂木挿入ガイド部４、下に有る方が台木挿入ガイド部５となり、方向性を無視することができる。
【００２３】
図２は本考案の実施の形態２を示すものであり、内径が１．７ｍｍ、外径が３．９ｍｍ、長さが１２ｍｍの筒状体１からなる接木用ホルダーを示している。筒状体１の一側部には上端部から下端部までの割れ目２を有しており、割れ目２とは対向する位置に板状の突起部３Ｂが設けられている。この１．７ｍｍサイズの板状の突起部３Ｂは長方形状としている。
他の構成は実施の形態１と同様であるので説明を省略する。
【００２４】
図３は本考案の実施の形態３を示すものであり、内径が２．１ｍｍ、外径が４．６ｍｍ、長さが１２．５ｍｍの筒状体１からなる接木用ホルダーを示している。筒状体１の一側部には上端部から下端部までの割れ目２を有しており、割れ目２とは対向する位置に板状の突起部３Ｃが設けられている。この２．１ｍｍサイズの板状の突起部３Ｃは台形状としている。
他の構成は実施の形態１と同様であるので説明を省略する。
【００２５】
図４は本考案の実施の形態４を示すものであり、内径が２．４ｍｍ、外径が５．３ｍｍ、長さが１４．５ｍｍの筒状体１からなる接木用ホルダーを示している。筒状体１の一側部には上端部から下端部までの割れ目２を有しており、割れ目２とは対向する位置に板状の突起部３Ｄが設けられている。この２．４ｍｍサイズの板状の突起部３Ｄは中凹み形状としている。
他の構成は実施の形態１と同様であるので説明を省略する。
【００２６】
このように、板状の突起部３Ａ〜３Ｄを筒状体１の内径のサイズに応じて異なる形状とすることにより、サイズ表示を目で容易に識別でき、慣れてくると一目でサイズを認識することができる。
【００２７】
次に、図５〜図８を用いて、本考案の実施の形態の接木用ホルダーを用いる接木作業について説明する。
まず、図５に示すように、台木１０の先端を斜めにカットしたものを準備する。
【００２８】
次に、図６に示すように、台木１０の先端に本願考案の実施の形態の接木用ホルダーＨを中程まで差し込む。このとき、接木用ホルダーＨの下端の台木挿入ガイド部５に台木１０の切断面１０ａ（図５参照）を当てるように挿入することにより、筒状本体１（図１〜図４参照）内の台木１０の切断面１０ａの位置を一定にすることができる。
【００２９】
次いで、図７に示すように、下端を斜めにカットした穂木１１を、接木用ホルダーＨの筒状体１の中で台木１０の斜めカット部と密着するように差し込む。このとき、接木用ホルダーＨの上端に台木挿入ガイド部５とは点対称位置に設けられた穂木挿入ガイド部４に、穂木１１の切断面１１ａを当てるように挿入することによって、筒状本体１（図１〜図４参照）の中における適切な位置で台木１０の切断面１０ａ（図５参照）と穂木１１の切断面１１ａが密着できるので、接木をする上での位置合わせを簡単に行うことができる。
【００３０】
この状態で手を離すと、図８に示すように接木用ホルダーＨの中で台木１０の上端と穂木１１の下端が密着し、所定時間を経過すると完全に台木１０と穂木１１が結着して接木が完了することになる。
【００３１】
なお、以上の実施の形態では、突起部３Ａ〜３Ｄは板状とした例を示したが、サイズが識別できる形状であれば、板状に限らず、３次元的な形状でもいい。
【産業上の利用可能性】
【００３２】
本考案は、サイズ表示を目で容易に識別でき、慣れてくると一目でサイズを認識できる上、台木と穂木の接合部を筒状体の最も把持力を得られる箇所で簡単に合わせることができ、台木、穂木の挿入が容易であり、また天地逆での使用も可能な接木用ホルダーとして、トマト、ナス、ピーマン等の栽培の分野において好適に利用することができる。
【符号の説明】
【００３３】
１  筒状体
２  割れ目
３Ａ〜３Ｄ  板状の突起部
４  穂木挿入ガイド部
５  台木挿入ガイド部
１０  台木
１０ａ  切断面
１１  穂木
１１ａ  切断面
Ｈ  接木用ホルダー
【図１】
0003191251.tif 000003
【図２】
0003191251.tif 000004
【図３】
0003191251.tif 000005
【図４】
0003191251.tif 000006
【図５】
0003191251.tif 000007
【図６】
0003191251.tif 000008
【図７】
0003191251.tif 000009
【図８】
0003191251.tif 000010
【図９】
0003191251.tif 000011
【図１０】
0003191251.tif 000012
【図１１】
0003191251.tif 000013